(57)【要約】【課題】十分に細径化でき、かつ、十分な駆動力および耐久性を有する流体圧式アクチュエータを提供する。【解決手段】流体圧式アクチュエータ３００は、流体が供給・排出されることにより膨張・収縮するインナーチューブ３１０と、インナーチューブ３１０の外周を覆い、インナーチューブ３１０の膨張に追随してその径が大きくなるとともに長さが収縮するメッシュスリーブ３３０と、を備える。インナーチューブ３１０は、断面において、相対的に肉厚の領域と相対的に肉薄の領域とを有する。あるいは、インナーチューブ３１０は、断面において、相対的に高硬度の材料で形成された領域と、相対的に低硬度の材料で形成された領域と、を有する。【選択図】図３
2014224570.tif 000002
【特許請求の範囲】
【請求項１】
流体が供給・排出されることにより膨張・収縮するインナーチューブと、
前記インナーチューブの外周を覆い、前記インナーチューブの膨張に追随してその径が大きくなるとともに長さが収縮するメッシュスリーブと、を備えた流体圧式アクチュエータであって、
前記インナーチューブは、断面において、相対的に肉厚の領域と相対的に肉薄の領域とを有する
ことを特徴とする流体圧式アクチュエータ。
【請求項２】
請求項１に記載の流体圧式アクチュエータにおいて、
前記インナーチューブは、外周が円形で、内周が楕円形である
ことを特徴とする流体圧式アクチュエータ。
【請求項３】
請求項１または請求項２に記載の流体圧式アクチュエータにおいて、
最も肉厚の領域と最も肉薄の領域とで互いの肉厚の差が１．５倍以上である
ことを特徴とする流体圧式アクチュエータ。
【請求項４】
流体が供給・排出されることにより膨張・収縮するインナーチューブと、
前記インナーチューブの外周を覆い、前記インナーチューブの膨張に追随してその径が大きくなるとともに長さが収縮するメッシュスリーブと、を備えた流体圧式アクチュエータであって、
前記インナーチューブは、断面において、相対的に高硬度の材料で形成された領域と、相対的に低硬度の材料で形成された領域と、を有する
ことを特徴とする流体圧式アクチュエータ。
【請求項５】
請求項４に記載の流体圧式アクチュエータにおいて、
最も高硬度の領域と最も低硬度の領域とで互いの硬度の差が１０度以上である
ことを特徴とする流体圧式アクチュエータ。
【請求項６】
請求項１から請求項５にいずれかに記載の流体圧式アクチュエータにおいて、
さらに、コンプレッサからの流体を送る前記インナーチューブに送る加圧管路を備え、
前記加圧管路は、前記コンプレッサから前記インナーチューブに向かうに従ってその内径が段階的に小さくなる
ことを特徴とする流体圧式アクチュエータ。
【請求項７】
請求項１から請求項６のいずれかに記載の流体圧式アクチュエータを備えた湾曲駆動装置。
【発明の詳細な説明】
【技術分野】
【０００１】
本発明は流体圧式アクチュエータに関し、具体的には、マッキベン型の流体圧式アクチュエータに関する。
【背景技術】
【０００２】
従来、流体圧式アクチュエータの一形態としてマッキベン型の流体圧式アクチュエータが知られている（特許文献１：特開2003−301807号公報）。一般的なマッキベン型流体圧式アクチュエータの構造および動作原理を簡単に説明する。
図１５は、一般的なマッキベン型流体圧式アクチュエータを示す図である。
流体圧式アクチュエータ１０は、
径方向に膨張可能な細長い筒体であるインナーチューブ２と、
インナーチューブ２の外周を覆うメッシュスリーブ３と、を有する。
メッシュスリーブ３は、伸縮性を持たない素材をメッシュ状に編んだものである。メッシュスリーブ３は、インナーチューブ２の両端部でインナーチューブ２に固着されている。インナーチューブ２の一端（図１５で左端）は封止され、インナーチューブ２の他端（図１５で右端）は、加圧管路５を介してポンプ４からの空気（流体）が給排されるようになっている。
【０００３】
さて、図１５（ａ）の状態においてインナーチューブ２の内部に空気を送り込む。すると、インナーチューブ２は、径方向に膨張することになる。インナーチューブ２が膨張すると、インナーチューブ２からの圧力を受けてその外側にあるメッシュスリーブ３も径が大きくなる（図１５（ｂ））。
ここで、メッシュスリーブ３の素材は伸縮性を持たないので、メッシュスリーブ３は編み角を大きくすることによって径方向に太る。メッシュスリーブ３の編み角が大きくなると、その分、メッシュスリーブ３の長さが縮む。このようにして、インナーチューブ２の径方向の膨張を長手方向の収縮に変換することができる。すなわち、インナーチューブ２に空気を送り込むことによって、流体圧式アクチュエータ１０の収縮という駆動力を得る。
【０００４】
流体圧式アクチュエータは、ロボット関節や内視鏡の屈曲力を得るのに利用されている（特許文献２、３、４、５）。
【先行技術文献】
【特許文献】
【０００５】
【特許文献１】特開２００３−３０１８０７号公報
【特許文献２】特開２００６−１０９０４号公報
【特許文献３】特開２００８−８２５５４号公報
【特許文献４】米国特許４７３３６０３号
【特許文献５】国際公開ＷＯ２０１１／０１３４２５号
【発明の概要】
【発明が解決しようとする課題】
【０００６】
内視鏡としては、配管等の内部を観察するような工業用途のものの他、胃や腸を観察または治療するための医療用途のものがある。
工業用の内視鏡では、流体圧式アクチュエータのようなアクチュエータを内蔵し、アクチュエータの動力で屈曲力を得るものがあった。
しかし、医療用の内視鏡では、ワイヤの牽引で内視鏡の曲がり具合を制御するものが多かった。これは、医療用内視鏡は、人体に挿入するためにできる限り小型化、特に、細径化する必要があったためである。すなわち、アクチュエータを内視鏡に組み込もうとするとどうしても内視鏡の径が太くなってしまうという問題があった。流体圧式アクチュエータを単純に細くすること自体はできるかもしれないが、単純に流体圧式アクチュエータを細くしただけでは十分な駆動力が得られなかったり、耐久性に問題が生じたりしてくる。したがって、医療用の内視鏡に利用できるぐらい、十分に細径化でき、かつ、十分な駆動力および耐久性を有する流体圧式アクチュエータが求められている。
なお、このような問題は医療用内視鏡の他、小型、細径化が必要な湾曲駆動装置に共通する問題である。
【課題を解決するための手段】
【０００７】
本発明の流体圧式アクチュエータは、
流体が供給・排出されることにより膨張・収縮するインナーチューブと、
前記インナーチューブの外周を覆い、前記インナーチューブの膨張に追随してその径が大きくなるとともに長さが収縮するメッシュスリーブと、を備えた流体圧式アクチュエータであって、
前記インナーチューブは、断面において、相対的に肉厚の領域と相対的に肉薄の領域とを有する
ことを特徴とする。
【０００８】
本発明では、
前記インナーチューブは、外周が円形で、内周が楕円形である
ことが好ましい。
【０００９】
また、本発明では、
最も肉厚の領域と最も肉薄の領域とで互いの肉厚の差が１．５倍以上である
ことが好ましい。
【００１０】
本発明の流体圧式アクチュエータは、
流体が供給・排出されることにより膨張・収縮するインナーチューブと、
前記インナーチューブの外周を覆い、前記インナーチューブの膨張に追随してその径が大きくなるとともに長さが収縮するメッシュスリーブと、を備えた流体圧式アクチュエータであって、
前記インナーチューブは、断面において、相対的に高硬度の材料で形成された領域と、相対的に低硬度の材料で形成された領域と、を有する
ことを特徴とする。
【００１１】
本発明では、
最も高硬度の領域と最も低硬度の領域とで互いの硬度の差が１０度以上である
ことが好ましい。
【００１２】
さらに、本発明では、
さらに、コンプレッサからの流体を送る前記インナーチューブに送る加圧管路を備え、
前記加圧管路は、前記コンプレッサから前記インナーチューブに向かうに従ってその内径が段階的に小さくなる
ことが好ましい。
【００１３】
そして、本発明の湾曲駆動装置は、前記流体圧式アクチュエータを備えたことを特徴とする。
【図面の簡単な説明】
【００１４】
【図１】湾曲駆動装置を示す図。
【図２】湾曲駆動装置が屈曲する様子を示す図。
【図３】アクチュエータの断面を示す図。
【図４】インナーチューブが膨張した状態を示す図。
【図５】フレキシブルチューブの断面を示す図。
【図６】アクチュエータの断面を示す図。
【図７】課題を説明するための図。
【図８】二重になったメッシュスリーブを示す図。
【図９】メッシュスリーブの素線の断面形状を示す図。
【図１０】メッシュスリーブの編み角の変化を説明するための図。
【図１１】湾曲駆動装置が屈曲する様子を示す図。
【図１２】メッシュスリーブの編み角の変化を説明するための図。
【図１３】変形例を説明するための図。
【図１４】変形例を説明するための図。
【図１５】一般的なマッキベン型流体圧式アクチュエータを示す図。
【発明を実施するための形態】
【００１５】
以下、図面を参照して本発明の実施の形態について説明する。
（第１実施形態）
図１は、湾曲駆動装置１００を示す図である。図１においては、構造を分かり易く示すために、途中の一部を破断している。
【００１６】
湾曲駆動装置１００は、
細長い筒状であって自在に屈曲可能なフレキシブルチューブ２００と、
フレキシブルチューブの後端に連続して接続されており、やや剛性を有する筒体である胴体部１０３と、
フレキシブルチューブ２００を外側から覆う外カバー１２０と、
フレキシブルチューブ２００を屈曲させる動力源としてのアクチュエータ３００と、
アクチュエータ３００に加圧流体を送り込むための加圧管路４１０と、
流体を加圧管路４１０に押し出すコンプレッサ４５０と、を備える。
【００１７】
フレキシブルチューブ２００は、蛇腹管状の管である。すなわち、フレキシブルチューブ２００は、その外周面において長手方向に山と谷とを繰り返す形状である。フレキシブルチューブ２００は、薄肉の樹脂で形成されるものであるが、その形状を蛇腹管状にしていることで自在に湾曲できるようになっている。
【００１８】
フレキシブルチューブ２００の内側には例えば各種の医療用関連器具が内挿されてもよい。
医療用関連器具とは、例えば、各種医療用機器を通すためのチューブ、気体や液体を送るためのチューブ、気体や液体を吸引するためのチューブ、各種医療用機器に送電するための電源ケーブル等である。
【００１９】
フレキシブルチューブ２００は、その外側面において複数の溝条２１０、２１０、２１０、２１０を有する。
これら溝条２１０には後述のアクチュエータ３００が挿通されるので、これら溝条を挿通部２１０と称することとする。本実施形態では、挿通部２１０は４本設けられている。挿通部２１０は、フレキシブルチューブ２００の長手方向に沿った長さを有し、その断面形状が略Ｕ字形である。
【００２０】
外カバー１２０は、フレキシブルチューブ２００の外径と略同じ内径を有する。挿通部２１０、２１０、２１０、２１０にアクチュエータ３００、３００、３００、３００を挿入した後、外カバー１２０をフレキシブルチューブ２００の外側に装着する。すると、アクチュエータ３００が挿通部２１０から脱落する恐れが無くなる。
また、外カバー１２０により、フレキシブルチューブ２００の蛇腹が患者の内蔵内壁に直接接触することを防止する。
【００２１】
続いて、アクチュエータ３００について説明する。
アクチュエータ３００は、基本的には、マッキベン型の流体圧式アクチュエータである。アクチュエータ３００は、挿通部２１０内に配置される。ここでは、フレキシブルチューブ２００の断面で見たときに９０度ごとに４本配置されている。４本あるアクチュエータ３００、３００、３００、３００のうちの一つ、二つまたは三つを収縮駆動させれば、例えば図２のように、湾曲駆動装置１００が屈曲することになる。
【００２２】
湾曲駆動装置１００を例えば医療用内視鏡に適用することを考慮し、各アクチュエータ３００の設計条件として、例えば、全長を１５０mmとし、出力ストロークを２８mm（収縮率１８％）とし、出力（収縮力）を１．４ｋｇｆとしたいとする。
【００２３】
アクチュエータ３００は、
径方向に膨張可能な細長い筒体であるインナーチューブ３１０と、
インナーチューブ３１０の外周を覆うメッシュスリーブ３３０と、を有する。
【００２４】
まずインナーチューブ３１０について説明する。
インナーチューブ３１０は、細長い筒であり、径方向に弾性的に膨張可能である。インナーチューブ３１０は、例えば、シリコーンゴムや天然ゴムで形成されている。流体圧式アクチュエータ３００を例えば医療用の内視鏡に組み込むことを考えた場合、アクチュエータ３００を細径化することが肝要である。アクチュエータ３００の細径化にあたっては、インナーチューブ３１０を細径化する必要がある。
具体的には、膨張したときでもその外径（外周の直径）が４ｍｍ以下とすることが好ましい。
さらに具体的には次のようにすることが例として挙げられる。
膨張前：内径を０．９ｍｍ、外径を１．３ｍｍ。
膨張時：内径を２．７ｍｍ、外径を３．１ｍｍ。
【００２５】
（膨張方向のコントロール）
ここで、アクチュエータ３００を単純に細径化するというだけでなく、さらに、挿通部２１０という限られたスペースにアクチュエータ３００を収納するための工夫が必要になる。流体圧式アクチュエータ３００は、インナーチューブ３１０を膨張させることで収縮力を得るわけであるから、インナーチューブ３１０が膨張した際でもアクチュエータ３００が挿通部２１０に無理なく収まっていなければならない。
そこで、本発明者らは、アクチュエータ３００の膨張方向をコントロールすることを考案した。
【００２６】
具体方法としては、次のように二つの方法がある。
一つ目の方法は、インナーチューブ３１０の断面において肉厚に差を設けるというものである。
図３は、アクチュエータの断面を示す図である。
（なお、図３において、メッシュスリーブ３３０が二重になっている点については後述する）
図３に示すように、インナーチューブ３１０の断面において、外周３１１は円形であるが、内周３１２を楕円とする。これにより、肉厚の部分と、肉薄の部分と、ができる。肉厚の部分と肉薄の部分とでは硬さ（柔らかさ）に差が生じるので、肉薄の部分の方が肉薄の部分に比べて変形しやすくなる。（図３においては、各方向における変形のし易さを矢印の長さで表現した。）すると、インナーチューブ３１０に流体を送り込んでインナーチューブ３１０を径方向に膨張させると、図４のように、肉薄の部分の方がより大きく変形することになる。すなわち、膨張前は円形であった外周３１１が、膨張後は楕円状に扁平になる。
【００２７】
このようにアクチュエータ３００の断面において膨張方向をコントロールすることには医療用内視鏡を考えた場合に大きな利点がある。
フレキシブルチューブ２００の内側には必要な医療関係器具１１０を収納するためにそれ相応のスペースを確保しなければならず、かつ、フレキシブルチューブ２００の外側には外カバー１２０が装着される。そして、先に説明したように、アクチュエータ３００はフレキシブルチューブ２００の外側面に設けられた溝条（挿通部２１０）に配置されている。
アクチュエータ３００が膨張できるスペースは挿通部２１０の内側だけとなるので、アクチュエータ３００が径方向に均一に膨張するとなると、挿通部２１０の深さをそれ相応に深めにとっておく必要が生じる。挿通部２１０の深さを大きくすると、それだけ湾曲駆動装置１００の径が大きくなるのは当然である。しかも、アクチュエータ３００を９０度ごとに４本設けるとなると対角方向に二つのアクチュエータ３００が存在するわけであるから、挿通部２１０の深さが湾曲駆動装置１００の径大に与える影響はかなり大きい。
なお、インナーチューブ３１０の膨張率を小さくすれば湾曲駆動装置１００の径は小さくはなるが、望むだけの出力（駆動力）を得ることが難しくなるのは当然である。
【００２８】
この点、インナーチューブ３１０の膨張が扁平に生じるようにすると、インナーチューブ３１０はフレキシブルチューブ２００の周方向に広がるようにできる。挿通部２１０の断面形状もそれにあわせてフレキシブルチューブ２００の周方向に広さをとるようにすればよい。
例えば、図５は、フレキシブルチューブ２００の断面を示す図である。ここで、挿通部２１０をフレキシブルチューブ２００の周方向にやや広げている。挿通部２１０をフレキシブルチューブ２００の周方向に広げたとしても、湾曲駆動装置１００の外径は大きくならない。したがって、インナーチューブ３１０の膨張率の大きさを維持しつつ、すなわち、アクチュエータ３００の出力（駆動力）の大きさを維持しつつも湾曲駆動装置１００を細径化することに資するのである。
【００２９】
さらに、インナーチューブ３１０の外周の形状についても当初から楕円形にしておいてもよいことはもちろんである。
なお、肉厚の差は、１．５倍以上、さらには、２倍以上にすることが例として挙げられる。
【００３０】
アクチュエータ３００の膨張方向をコントロールするための二つ目の方法は、インナーチューブ３１０の断面において材料に違いを設け、これによりインナーチューブ３１０の断面において領域ごとに硬度が違うようにするというものである。例えば、図６はインナーチューブ３１０の断面を示す。このインナーチューブ３１０は、硬度が高い材料３１３、３１３と硬度が低い材料３１４、３１４とで構成されている。ここでは、インナーチューブ３１０の断面において、上側の領域と下側の領域とが高硬度の材料３１３で構成され、左右の領域が低硬度の材料３１４で構成されている。
このような構成によれば、低硬度の材料３１４で構成された左右の領域が変形しやすい（伸びやすい）ことは明らかであろう。
インナーチューブ３１０の内圧を高めると、左右の領域が伸び、結果としてインナーチューブ３１０は左右に広がるように変形する。（図６においては変形の大きさを矢印の長さで表現した。）したがって、このような構成によっても、インナーチューブ３１０の膨張率の大きさを維持しつつも湾曲駆動装置１００を細径化することに資するのはご理解頂けるであろう。
【００３１】
硬度の差は、１０度以上、さらには、２０度以上にすることが好ましい。断面において材料に違いを設けるにあたっては、例えば、射出成型の金型に複数の流入通路を設けておくことが例として挙げられる。
【００３２】
（耐久性と収縮率との両立）
次に、メッシュスリーブについて説明する。
本実施形態においては、粗く編んだメッシュスリーブ３３０、３３０を二重にして用いている。
この理由を説明する。
【００３３】
流体圧式アクチュエータのよく知られた課題としてインナーチューブの破裂がある。アクチュエータを駆動させる際にはインナーチューブの内側に流体を送り込んでインナーチューブを膨張させるわけあるが、インナーチューブの外側には伸縮性を持たないメッシュスリーブがあるので、メッシュスリーブがインナーチューブに食い込むことになる。
図７は米国特許４７３３６０３号で用いられている図である。
この図７に典型的に示されているように、インナーチューブが膨張するとインナーチューブがメッシュスリーブの編み目の隙間から膨出する。加圧が大き過ぎたり、加圧が大きくなくても通常のアクチュエータの駆動を繰り返したりすれば、インナーチューブが破裂することがあり、耐久性の点で問題が生じる。この問題を解決するため従来いくつかの方法が採られてきた。
【００３４】
例えば、メッシュスリーブの編み目の隙間を小さくすることが考えられる。
メッシュスリーブを編むにあたって打ち数を多くする、すなわち、編み目の一辺を短くするというやり方もあるし、または、メッシュスリーブの素線を太くしたり、素線を複数本束ねて使用するという方法もある。
こうすれば、インナーチューブがメッシュスリーブの編み目に食い込んで破れるという事故は少なくはなる。しかし、これらの方法でメッシュスリーブの編み目を細かくすると、径方向の膨張を長手方向の収縮に変換しにくくなるという問題が生じる。
従って、望む出力（駆動力）が得にくくなる。
【００３５】
もちろん、インナーチューブを硬質ゴムで形成するという考え方もあるが、その分インナーチューブの膨張率が小さくなるのは当然である。
本実施形態では、細径化することを主目的とするところ、インナーチューブの径が細くなり、おまけに、インナーチューブの膨張率が小さくなったのでは、アクチュエータの出力ストロークが小さくなり過ぎる。
【００３６】
そこで、本実施形態においては、メッシュスリーブの編み目は粗くし、メッシュスリーブを二重にすることとした。すなわち、図８に示すように、粗く編んだメッシュスリーブ３３０、３３０を互いにずらして重ねる。
図８において、実線のメッシュスリーブ３３０が外側にあり、破線のメッシュスリーブ３３０がその内側にあると解釈されたい。
（ずらす方向は、長手方向でも周方向でも同じことである。要は、互いに半ピッチずれるように重ねればよい。）
このようにすることで、メッシュの粗さを維持することで収縮率は高く維持し、かつ、編み目からインナーチューブ３１０が膨出することを極力防止できる。
【００３７】
さらには、図９に示すように、メッシュスリーブ３３０の素線３３１の断面形状を円形ではなく楕円形にするとよい。
（図９では、素線の断面形状がよく見えるように素線を太めに描いているが、実際には素線は極めて細いものである。）すなわち、メッシュスリーブ３３０の素線３３１の断面形状を扁平にすることで素線３３１がインナーチューブ３１０に接触する面積を増やす。これにより、素線３３１がインナーチューブ３１０にできる限り食い込みにくくする。
【００３８】
なお、メッシュスリーブの編み目を粗くするというのは、例えば、打ち数を１６以下とすることが例として挙げられる。
【００３９】
（収縮動作のコントロール）
次に、本実施形態において、メッシュスリーブ３３０は一様に編まれているわけではなく、部分的に編み角を変化させている。
流体圧式アクチュエータ３００は、インナーチューブ３１０の膨張によってメッシュスリーブ３３０の編み角が大きくなることで長手方向の収縮を得るものであるということは既に説明した（背景技術）。従って、小さい編み角でメッシュスリーブ３３０を編んでおき、インナーチューブ３１０の膨張時に編み角が立ち上がる余地（編み角が大きくなる余地）を十分にとっておけば、収縮率を大きく稼げ、出力ストロークが大きくなるということになる。
流体圧式アクチュエータ３００を使って対象物（例えばロボット関節や工業用内視鏡）を単純に曲げ伸ばしするだけであれば、全体的に一様に小さい編み角でメッシュスリーブを編んでおけばよいとも考えられる。
【００４０】
しかし、例えば医療用内視鏡に流体圧式アクチュエータ３００を組み込むような場合を考えると、細やかで繊細な制御動作が求められる。
例えば、湾曲駆動装置１００を屈曲させるにあたっては、同じ曲がるにしても、狙ったところだけが敏捷かつ敏感に曲がるといった操作性が求められる。
（例えば、図２に示した例では先端に行くほど曲がりが大きくなっており、このような湾曲の仕方は望ましい曲がり方の一例である。）そこで、本実施形態においては、部分的に編み角を変化させている。
【００４１】
例えば、湾曲駆動装置１００には、図１０に示すように、先端１０１寄りで操作性よく屈曲すべき湾曲部１０２と、やや硬めの剛性を持った胴体部１０３と、がある。
（本実施形態では、フレキシブルチューブ２００が湾曲部１０２に相当する。）この場合、湾曲部１０２に相当する部分では、メッシュスリーブ３３０の編み角θ１をもともと大きめにしておく。一方、胴体部１０３に相当する部分では、メッシュスリーブ３３０の編み角θ２を小さめにしておく。
【００４２】
このようにすると次のような動作になる。
インナーチューブ３１０に加圧流体を送り込むと、インナーチューブ３１０は膨張しようとする。
この際、まず、胴体部１０３に相当する部分では、メッシュスリーブ３３０の編み角θ２をもともと小さめにしてあるので、編み角θ２が立ち上がる余地（編み角が大きくなる余地）が十分にある。したがって、インナーチューブ３１０は径方向に膨張し、それに合わせてメッシュスリーブ３３０の編み角θ２が立ち上がり（編み角が大きくなり）、大きな収縮ストロークが得られる。
メッシュスリーブ３３０は両端部においてインナーチューブ３１０に固着されているので、メッシュスリーブ３３０による収縮力は、インナーチューブ３１０の後端はもちろんインナーチューブ３１０の先端に作用し、インナーチューブ３１０の先端１０１を引っ張る。この力が湾曲駆動装置１００の先端１０１寄りを屈曲させる力になる。
【００４３】
一方、湾曲部１０２に相当する部分では、メッシュスリーブ３３０の編み角θ１をもともと大きめにしてあるので、編み角θ１が立ち上がる余地（編み角が大きくなる余地）があまり無い。したがって、湾曲部１０２に相当する部分では、インナーチューブ３１０の膨張が抑制され、アクチュエータ３００の収縮量は小さくなる。
【００４４】
このような構成によれば、アクチュエータ３００のトータルでの収縮ストロークを大きく稼ぐことができ、かつ、湾曲部１０２をスムースに大きく屈曲させることができる。
この理由を図１１を参照しながら説明する。
仮に、湾曲部１０２に相当する部分でもアクチュエータ３００が大きく収縮したとする。すると、図１１に図示するように、湾曲部１０２に相当する部分においてアクチュエータ３００が直線化しようとするため、アクチュエータ３００は湾曲部の内側に張り出そうとする。
ここで、アクチュエータ３００のさらに外側には外カバー１２０がある。すると、アクチュエータ３００が外カバー１２０に強く接触するようになるので、外カバー１２０からの摩擦力がアクチュエータ３００に掛かるようになり、アクチュエータ３００の伸縮運動が阻害されることになる。アクチュエータ３００が収縮して湾曲部１０２の曲がりが大きくなるほど前記摩擦力はますます大きくなってくる。
【００４５】
一方、胴体部１０３に相当する部分はストレートであるので、この部分ではアクチュエータ３００の伸縮運動を阻害するような力が作用しない。
したがって、湾曲部１０２に相当する部分ではアクチュエータ３００の収縮量は小さくしつつ胴体部１０３に相当する部分でアクチュエータ３００の収縮量を稼ぐ方が、全体としてみれば、アクチュエータ３００の収縮ストロークを大きく稼ぎ、かつ、湾曲部１０２をスムースに大きく屈曲させることができるのである。
このような観点から、湾曲部１０２に相当する部分ではメッシュスリーブ３３０の編み角θ１をもともと大きめにし、胴体部１０３に相当する部分ではメッシュスリーブ３３０の編み角θ２を小さめにしておくと例えば医療用内視鏡に好適なアクチュエータ３００とすることができる。
【００４６】
なお、マッキベン型の流体圧式アクチュエータでは、メッシュスリーブの編み角は最大で５１°ぐらいまで立ち上がるとされているが、本実施形態のようにインナーチューブ３１０もメッシュスリーブ３３０も細径化した場合、編み角の立ち上がりの最大角は４０°程度までしかいかないことが分かった。
（インナーチューブ３１０に加圧流体を無理にでも送り込めばメッシュスリーブ３３０の編み角は４０°以上になるかもしれないが、４０°を超えると収縮力がほぼ最大値に達してしまい、あまり意味が無く、インナーチューブ３１０が破裂してしまう恐れもある。）
したがって、編み角が立ち上がる余地（編み角が大きくなる余地）を十分に残しておくには、メッシュスリーブ３３０の編み角をもともと２０°以下、例えば、１０°〜１８°程度にしておくことが例として挙げられる。
また、湾曲部１０２に相当する部分ではメッシュスリーブ３３０の編み角θ１をもともと大きめにしておくのであるが、その場合でもメッシュスリーブ３３０の編み角θ１を３５°程度、例えば、３０°〜３５°程度にしておくことが例として挙げられる。
【００４７】
このように、長手方向においてメッシュスリーブ３３０の編み角を部分的に変えることにより、湾曲駆動装置１００の操作性が向上する。
【００４８】
さらに、長手方向においてメッシュスリーブ３３０の編み角を変えるのみならず、長手方向に対して直角に切断した際の断面においてメッシュスリーブ３３０の編み角を部分的に変えてもよい。
例えば、図１２のように、断面において、編み角が小さい領域３３３と編み角が大きい領域３３２とを設けてもよい。
インナーチューブ３１０の断面において変形し易い領域と、変形し難い領域と、があるとする。
この場合、断面においてインナーチューブの変形し易い領域に相当する領域では、メッシュスリーブの編み角を小さめにしておく。
一方、断面においてインナーチューブの変形し難い領域に相当する領域では、メッシュスリーブの編み角を小さめにしておく。こうすれば、インナーチューブ３１０の膨張変形とメッシュスリーブ３３０の変形とが整合し、効率良く出力（収縮力）を得ることができる。
【００４９】
（管路の工夫）
次に、加圧管路について説明する。
本実施形態においてはアクチュエータを極限まで細径化したので、当然にインナーチューブ３１０の内径が小さくなった。
このように内径が小さくなったインナーチューブ３１０に加圧流体を圧送すると、局所的に大きな圧力が発生し、大きな圧力を受けやすいところでインナーチューブ３１０が破裂し易くなる。そこで、本実施形態においては、加圧管路４１０を段階的に絞っていくようにした。すなわち、コンプレッサ４５０に近いところでは内径が大きい第１管路４１１を使用する。そして、第１管路４１１よりやや内径が小さい第２管路４１２を第１管路４１１に接続し、さらに、第２管路４１２とインナーチューブ３１０とを第３管路４１３で繋ぐ。
第３管路４１３の内径は第２管路４１２の内径とインナーチューブ３１０の内径との中間である。段階的に管路を狭めていくことで圧力の緩衝部分を設け、これにより、コンプレッサ４５０からの圧力がインナーチューブ３１０に直撃に作用しないようにした。
特に、インナーチューブ３１０の後端（加圧流体の流入口）には大きな圧が掛かりやすいが、加圧管路４１０の内径を段階的に絞るようにしたことで局所的に大きな圧力が掛かることを防止し、アクチュエータ３００の耐久性を向上させる。
【００５０】
以上、本発明者によってなされた発明を実施の形態に基づき具体的に説明したが、本発明は上述の実施の形態に限定されるものではなく、趣旨を逸脱しない範囲において種々の変更が可能であることはいうまでもない。
アクチュエータの全体に渡ってメッシュスリーブを二重にするのみならず、部分的に二重にしてもよい。
例えば、インナーチューブ３１０が破れやすいところだけメッシュスリーブを二重にしてもよい。
具体的には、図１３に示すように、加圧管路４１３とインナーチューブ３１０との繋ぎ目近辺だけメッシュスリーブ３３０を二重にしてもよい。
加圧管路４１３とインナーチューブ３１０との繋ぎ目近辺には局所的に高い圧力が掛かり易いからである。
【００５１】
また、インナーチューブ３１０の膨張率に変化が生じるところでメッシュスリーブを二重にしてもよい。
インナーチューブ３１０の膨張率に変化が生じるところでは局所的に高い圧力が掛かり易いからである。
例えば、図１０で説明した例では、メッシュスリーブの編み角を変えているため、胴体部１０３に相当する箇所と湾曲部１０２に相当する箇所とでインナーチューブ３１０の膨張率に差が生じる。したがって、胴体部１０３に相当する箇所から湾曲部１０２に相当する箇所への遷移部分だけメッシュスリーブ３３０を二重にしてもよい（図１３参照）。
【００５２】
また、図１０の例でいえば、湾曲部１０２に相当する箇所においてメッシュスリーブを二重にしてもよい。膨張する上に湾曲するということはこの湾曲部においてインナーチューブ３１０に掛かる負荷が大きい。したがって、破損防止のため湾曲部においてメッシュスリーブを二重にすることには意味がある。
【００５３】
また、インナーチューブ３１０の膨張を抑制する箇所においてメッシュスリーブを二重にしてもよい。図１０の例でいえば、メッシュスリーブの編み角をもともと大きくしているところではメッシュスリーブが広がらないのでインナーチューブの膨張が抑制される。このような箇所では、インナーチューブがメッシュスリーブの編み目から膨出し易い。したがって、インナーチューブ３１０の膨張を抑制する箇所、例えば、メッシュスリーブの編み目をもともと大きくしている箇所において、メッシュスリーブを二重にしてもよい。
【００５４】
インナーチューブ３１０の断面において肉厚の差を設けるにあたっては、外周も内周もともに楕円形にしておいてもよい（図１４（Ａ））。
また、インナーチューブ３１０の断面において材料に違いを設けるにあたっては、図１４（Ｂ）のように、一部分だけについてのみ材料を違えるようにしてもよい。
【符号の説明】
【００５５】
１００…湾曲駆動装置、１０２…湾曲部、１０３…胴体部、１１０…医療器具、１２０…外カバー、２００…フレキシブルチューブ、２１０…挿通部、３００…アクチュエータ、３１０…インナーチューブ、３３０…メッシュスリーブ、３３１…素線、４１０…加圧管路、４１１…第１管路、４１２…第２管路、４１３…第３管路、４５０…コンプレッサ。
【図１】
2014224570.tif 000003
【図３】
2014224570.tif 000004
【図４】
2014224570.tif 000005
【図５】
2014224570.tif 000006
【図６】
2014224570.tif 000007
【図７】
2014224570.tif 000008
【図８】
2014224570.tif 000009
【図９】
2014224570.tif 000010
【図１０】
2014224570.tif 000011
【図１１】
2014224570.tif 000012
【図１２】
2014224570.tif 000013
【図１３】
2014224570.tif 000014
【図１４】
2014224570.tif 000015
【図１５】
2014224570.tif 000016
【図２】
2014224570.tif 000017